(57)【要約】      （修正有）【課題】固形の化粧用石鹸あるいは洗濯用の石鹸を使用する場合、使用することによって磨耗して薄く小さくなると使用しづらくなり、使用により磨耗して薄く小さくなった固形石鹸（磨耗固形石鹸）を回収して、使い易さは通常の石鹸と同じに保持して、かつ、摩擦石鹸を完全に使用できるようにし、摩擦石鹸の吸水を防ぐ効果もある凹部溝を形成した固形石鹸を提供する。【解決手段】固形石鹸の少なくとも一つの表面に、他の石鹸を収容するための対角線方向に切り込んだ凹部溝２０を形成したことを特徴とする固形石鹸。【選択図】図１
0003138260.tif 000002
【実用新案登録請求の範囲】
【請求項１】
固形石鹸の少なくとも一つの表面に、他の磨耗石鹸を収容するための斜め方向に切り込んだ凹部溝を形成したことを特徴とする固形石鹸
【請求項２】
上記固形石鹸において、前記凹部溝の嵌込部３０の側壁面と底面のなす角度∠ＣＤＥが９０°以下、さらに好ましくは、角度∠ＣＤＥが、３０°〜６０°に形成したことを特徴とする請求項１に記載された固形石鹸
【請求項３】
上記固形石鹸において、凹部溝が溝両端において固定石鹸外部に開放されていることを特徴とする請求項１〜２の何れかにに記載された固形石鹸
【請求項４】
上記固形石鹸において、凹部は固形石鹸の両面に形成されていることを特徴とする請求項１〜３の何れかにに記載された固形石鹸。
【請求項５】
上記固形石鹸の少なくとも一つの表面に、他の磨耗石鹸を収容するための対角方向に切り込んだ凹部溝を形成したことを特徴とする固形石鹸とする請求項１〜４の何れかにに記載された固形石鹸。
【請求項６】
他の磨耗固形石鹸を収納しない場合には、他の磨耗石鹸を収容するための斜め方向に切り込んで形成した凹部溝を押しつぶすことで、当該凹部溝への吸水を防止することを特徴とする請求項１〜５の何れかにに記載された固形石鹸。
【考案の詳細な説明】
【技術分野】
【０００１】
本考案は、石鹸の構造に係り、使用により体積の減少した大小さまざまな形の固形石鹸（以下、磨耗固形石鹸ともいう。）を回収して使い易さは通常の石鹸と同じに保持して、かつ、磨耗石鹸を完全に使用できるようにし、磨耗石鹸の吸水を防ぐ効果もある凹部溝を形成した固形石鹸に関するものである。
【０００２】
本考案は、使用することによって磨耗して薄く小さくなった固形石鹸を、新しい固形石鹸に合体させ易くするために固形石鹸の形状に工夫を凝らした、凹部溝を形成した固形石鹸に関するものである。
【０００３】
本考案は、上記のようにして凹部溝を形成した固形石鹸において、他の磨耗固形石鹸を収納しない場合には、他の磨耗石鹸を収容するための斜め方向に切り込んで形成した凹部溝を押しつぶすことで、当該凹部溝への吸水を防止する固形石鹸に関するものである。
【背景技術】
【０００４】
従来、使用することによって磨耗して薄く小さくなった石鹸（磨耗石鹸）は、網袋に入れられて使われたり、水分を吸収し柔らかくなったものを使い易くするため幾つか合体させて使われたり、あるいは捨てられたりしていた。
【０００５】
そして、小さくなった石鹸を網袋に入れるのは面倒である上、溶けかかった石鹸がその網袋にからまり不潔感があった。また、その網袋を購入するか作る必要があった。
【０００６】
また、水分を吸収し柔らかくなりしかも小さくなった石鹸を幾つか合体させて使う場合も、うまく合体しなかったり、柔らかくなり過ぎていて使いものにならなかったり、あるいは小さくなった石鹸が幾つか揃う前にそれらの石鹸が溶けてしまったりで、うまく最後まで使い切ることが難しかった。
【０００７】
上記の背景下、小さくなった磨耗石鹸を最後まで使い切る考案として実用新案公開平６−１０３５１「石鹸の形」（特許文献１）、登録実用新案３０４８６２９号「固形石鹸」（特許文献2）等がある。
【０００８】
特許文献１（請求項１の考案）は、固形石鹸を、少なくとも一方の側の面の表面に、他の石鹸を収容するための凹所を形成して成型されてなる構成としたことを特徴としている。
【０００９】
特許文献２（請求項１の考案）は、平面部を囲むように凸部を形成した石鹸である。
【００１０】
しかし、特許文献１、２に記載の考案においては、共に、小さくなった石鹸のサイズは様々で、石鹸の形によっては、使用できない場合があり、無理やり接着しても、剥がれ易く使い難い欠点が解消されていない。
【００１１】
本考案は、上記の固形石鹸において、他の磨耗固形石鹸を収納しない場合には、磨耗固形石鹸を収納する凹所等への吸水を防止する点に関しては、何ら開示がなされていない。
【特許文献１】実用新案公開平６−１０３５１号公報
【特許文献２】登録実用新案３０４８６２９号公報
【考案の開示】
【考案が解決しようとする課題】
【００１２】
○本考案が解決しようとする第１課題（単に、第１課題ともいう。）
固形の化粧用石鹸あるいは洗濯用の石鹸を使用する場合、使用することによって磨耗して薄く小さくなると使用しづらくなり、使用により磨耗して薄く小さくなった固形石鹸（磨耗固形石鹸）は捨てることになるが、完全に使い終わる前に捨てることは、石鹸は最終的に河川等に捨てられ環境破壊につながり、かつ不経済であるという従来技術の欠点を解消した固定石鹸を提供することが、本考案が解決しようとする第１課題である。
○本考案が解決しようとする第２課題（単に、第２課題ともいう。）
また、小さくなった石鹸のサイズは様々で、石鹸の形によっては、使用できない場合があり、無理やり接着しても、剥がれ易く使い難い従来技術の欠点を解消した固形石鹸を提供することが、本考案が解決しようとする第２課題である。
○本考案が解決しようとする第３課題（単に、第３課題ともいう。）
また、石鹸の溝の構造によっては、溝に水が溜まり、吸水し、石鹸が柔らかくなり使えなくなるという従来技術の欠点を解消した固形石鹸を提供することが、本考案が解決しようとする第３課題である。
○本考案が解決しようとする第4課題（単に、第4課題ともいう。）
上記の提供された固形石鹸において、他の磨耗固形石鹸を収納しない場合には、当該凹部溝への吸水を防止した固形石鹸を提供することが、本考案が解決しようとする第4課題である。
【００１３】
すなわち、
本考案が解決しようとする課題（単に、課題ともいう。）は、上記問題を解決するために考案されたものであり、体積が減少して使用しづらくなった石鹸であっても使用できるようにし、かつ、磨耗固定石鹸のサイズの大きさの如何に関わらず固定石鹸内に収容して完全に使用可能にし、使い易さは通常の石鹸と同じに維持され、かつ、凹部を形成した固形石鹸の構造が、石鹸表面に水が溜まらない新規の構造で石鹸の吸水を防ぐ固定石鹸を提供することである。
【００１４】
また、上記の提供された固形石鹸において、他の磨耗固形石鹸を収納しない場合には、当該凹部溝への吸水を防止した固形石鹸を提供することである。
【課題を解決するための手段】
【００１５】
本考案者は、上記従来技術が有する問題点に鑑み、鋭意検討を重ね、課題を解決するための本考案を完成させたものである。
【００１６】
本願の明細書等に記載された用語の解釈上の疑義を解消すべく、以下の通り用語の説明を行う。
【００１７】
＜用語の説明＞
○固形石鹸とは、固まって一定の形と体積をもっている本考案に係る石鹸をいう。
【００１８】
ここに、固形石鹸の中には、磨耗石鹸は含まれない。
○磨耗石鹸とは、使用することによって磨耗して薄く小さくなった石鹸をいう。
○凹部溝とは、固形石鹸の少なくとも一つの表面に、他の石鹸を収容するために、斜め方向に切り込んで形成された凹部形状の溝である。
○斜め方向とは、固定石鹸の長手方向から角度θの方向をいう。斜め方向の中に、固定石鹸の対角線方向も含まれる。
○凹部溝の嵌込部３０の側壁面と底面のなす角度とは、［図４］の図１のＡ−Ａにおける断面図の嵌込部の拡大断面図において、側壁面と底面のなす角度をいう。
【００１９】
ここに、凹部溝の嵌込部３０の断面において、側璧面と固形石鹸の少なくとも一つの表面との交点をＢとし、側璧面と凹部溝の底面との交点をＣとし、凹部溝の嵌込部３０の断面において底面の点をＤとすれば、凹部溝の嵌込部３０の側壁面と底面のなす角度は、角度∠ＣＤＥと表現される。
○凹部溝が溝両端において固定石鹸外部に開放されていること
凹部溝は、凹部溝断面形状は、Ａ−Ａにおける断面図の嵌込部の拡大断面図におけるＢＣＣＢの溝形状をしており、凹部溝が溝両端において固定石鹸外部に開放されているという本考案の特徴的構成要件により、水が凹部溝の底面を伝わって固形石鹸の外部に流出することが可能となり、固形石鹸の溝の構造によっては、溝に水が溜まり、吸水し、磨耗石鹸が柔らかくなり使えなくなるという従来技術の欠点を解消した固形石鹸を提供することができた。
○嵌込部とは、固定石鹸の凹部溝において、磨耗固定石鹸を嵌め込んで収納する部分をいい、固定石鹸の凹部溝の中央部が該当する。
○側壁面とは、凹部溝（嵌込部）の側壁の面をいう。
○底面とは、凹部溝（嵌込部）の底面をいう。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
＜記号の説明＞
○Ｌとは、固形石鹸の長さを表す。
○Ｂとは、固形石鹸の幅を表す。
○Ｈとは、固形石鹸の厚みを表す。
○ＢＣとは、側壁面を表す（図４を参照のこと。）。
○ＣＤＤＣ（ＣＣ、ＣＤ、ＤＤ、又はＤＣ、）とは、底面を表す（図４を参照のこと。）。
○角度θとは、凹部溝の斜め方向と固定石鹸の長手方向が交わる角度をいう（［図１］を参照）。
【００２０】
ここに、角度θ＝ｔａｎ−１（ｂ／ｌ）
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
そこで、本考案は、小さくなった石鹸が合体し易くなるように、新しく使おうとする石鹸の形を形成したものである。
【００２１】
課題を解決するための手段は、小さくなった石鹸が合体し易くなるように、新しく使おうとする石鹸の形を形成したものである。
【００２２】
課題を解決するための手段は、本願、実用新案登録請求の範囲の各請求項に記載の考案であり、その具体的な解決手段は、以下の通りである。
○第１の考案（請求項１に記載の考案）
第１の考案は、固形石鹸の少なくとも一つの表面に、他の磨耗石鹸を収容するための斜め方向に切り込んだ凹部溝を形成したことを特徴とする固形石鹸である。
○第２の考案（請求項２に記載の考案）
第２の考案は、上記固形石鹸において、前記凹部溝の前記凹部溝の嵌込部３０の側壁面と底面のなす角度∠ＣＤＥが９０°以下、さらに好ましくは、角度∠ＣＤＥが、３０°〜６０°に形成したことを特徴とする請求項１に記載された固形石鹸である。
○第３の考案（請求項３に記載の考案）
第３の考案は、上記固形石鹸において、凹部溝が溝両端において固定石鹸外部に開放されていることを特徴とする請求項１〜２の何れかにに記載された固形石鹸である。
○第４の考案（請求項４に記載の考案）
第４の考案は、上記固形石鹸において、凹部は固形石鹸の両面に形成されていることを特徴とする請求項１〜３の何れかにに記載された固形石鹸である。
○第5の考案（請求項５に記載の考案）
第５の考案は、上記固形石鹸の少なくとも一つの表面に、他の磨耗石鹸を収容するための対角方向に切り込んだ凹部溝を形成したことを特徴とする固形石鹸とする請求項１〜４の何れかにに記載された固形石鹸である。
○第6の考案（請求項6に記載の考案）
第6の考案は、他の磨耗固形石鹸を収納しない場合には、他の磨耗石鹸を収容するための斜め方向に切り込んで形成した凹部溝を押しつぶすことで、当該凹部溝への吸水を防止することを特徴とする請求項１〜５の何れかにに記載された固形石鹸である。
【考案の効果】
【００２３】
本考案によれば、石鹸を使用して小さくなった場合、その小さくなった石鹸の大きさは大小様々な形状をしている。その磨耗石鹸を使用前の新しい石鹸の凹部溝に嵌合されるようにして収容し、小さくなった磨耗固形石鹸の大きさに関わらず、新しい凹部溝を形成した固形石鹸と容易に一体化して使用することができ、一体化した石鹸の使いやすさは、通常の石鹸と同じ使いやすさで、完全に使いきることが可能となる。また、小さくなった古い石鹸は、新しい石鹸の凹部内に収容されて一体化され、使用中も脱落する虞はない。
【００２４】
したがって、使用により大小様々な形状の石鹸を最後まで使用でき経済的で、使いやすさは通常の石鹸と同じである。しかも、新しい凹部を形成した固形石鹸の構造が、石鹸表面に水が溜まる構造でないため石鹸の吸水を防ぐ効果もある。
【００２５】
また、上記の提供された固形石鹸において、他の磨耗固形石鹸を収納しない場合には、当該凹部溝への吸水を防止する効果もある。
【００２６】
本考案に係る特徴的構成要件により、以下の考案特有の効果を奏する。これにより、本考案の課題は、全て解消することができた。
○第１の考案による効果
第１の考案によれば、固形石鹸の少なくとも一つの表面に、他の磨耗石鹸を収容するための斜め方向に切り込んだ凹部溝を形成したことの特徴的構成要件により、色々なサイズの大きさの磨耗石鹸も、固定石鹸の凹部溝から外れることなく確実に固定石鹸の凹部溝に収納できるという当業者が予測不可能な顕著な効果を奏することができた。
第１の考案によれば、本考案の特徴的構成要件により、本考案が解決しようとする第１課題及び、本考案が解決しようとする第２課題を解消するという当業者が予測不可能な顕著な効果を奏することができた。
○第２の考案による効果
第２の考案によれば、記固形石鹸において、前記凹部溝の嵌込部３０の側壁面と底面のなす角度∠ＣＤＥが９０°以下、さらに好ましくは、角度∠ＣＤＥが、３０°〜６０°に形成したことの特徴的構成要件により、使用により磨耗して薄く小さくなった固形石鹸（磨耗固形石鹸）を完全に使い終わることが可能となり、本考案が解決しようとする第１課題を解消することが可能となるという当業者が予測不可能な顕著な効果を奏することができた
○第３の考案による効果
第３の考案によれば、上記固形石鹸において、凹部溝が溝両端において固定石鹸外部に開放されていることの特徴的構成要件により、固形石鹸の溝の構造によっては、溝に水が溜まり、吸水し、磨耗石鹸が柔らかくなり使えなくなるという従来技術の欠点を解消した固形石鹸を提供する本考案が解決しようとする第３課題を解消できたという当業者が予測不可能な顕著な効果を奏することができた。
○第４の考案による効果
第４の考案によれば、凹部は固形石鹸の両面に形成されていることの特徴的構成要件により、数多くの磨耗石鹸を収納できる固形石鹸を提供することができたという当業者が予測不可能な顕著な効果を奏することができた。
○第5の考案による効果
第5の考案によれば、上記固形石鹸の少なくとも一つの表面に、他の磨耗石鹸を収容するための対角方向に切り込んだ凹部溝を形成したことの特徴的構成要件を明確化することにより、対角方向が実施例の一つであることを明確化したものである。
○第６の考案による効果
第６の考案によれば、他の磨耗固形石鹸を収納しない場合には、他の磨耗石鹸を収容するための斜め方向に切り込んで形成した凹部溝を押しつぶすという特徴的構成要件により、当該凹部溝への吸水を防止することができたという業者が予測不可能な顕著な効果を奏することができた。
【考案を実施するための最良の形態】
【００２７】
以下、図面に基づいて本考案の考案を実施するための最良の形態（以下、実施例ともいう。）を説明する。
【００２８】
ここに、図１〜図４は、以下の通りである。
［図１］（ａ）は、本考案係る固形石鹸の平面図である。［図１］（ｂ）は、本考案に係る固形石鹸の右側面図である。
［図２］は、本考案に係る固形石鹸の正面図である。
［図３］は、図１のＡ−Ａにおける断面図である。
［図４］は、図１のＡ−Ａにおける断面図の嵌込部の拡大断面図である
本考案に係る固形石鹸１０について、［図１］と、［図２］に基づいて、以下説明する。
【００２９】
固形石鹸１０は全体が概略扁平な直方体をなしており、周辺の側部は、一般には外側に湾曲して円みを帯びた形状とされている。
【００３０】
固形石鹸の少なくとも一つの表面（図１では上部表面）に、他の磨耗石鹸を収容するための斜め方向に切り込んだ凹部溝２０を形成したことを特徴とする固形石鹸である。本考案に係る固形石鹸１０は、その上部表面において、深さｈの凹部溝が形成されている。この凹部溝は、固形石鹸の成形時にと同時に型によって形成とされる。
【００３１】
この凹部溝２０は、固形石鹸１０の表面に斜め方向に凹部形状に切り込みを設けて、両端が開放された溝２０を設けている。
【００３２】
凹部溝２０の上部は、開口した凹部形状をしている。
【００３３】
凹部の深さｈは固形石鹸１０の厚さＨの１／７〜１／３程度が好ましい。
【００３４】
図３は、使用前の状態の固形石鹸１０と使用してサイズが小さくなった磨耗石鹸（大きいサイズ）１０ａと磨耗石鹸（小さいサイズ）１０ｂのそれぞれの断面図を示す。石鹸を使用するとサイズが小さくなっていくが、その時のサイズは大小様々である。使用して小さくなったが、大きいサイズの磨耗石鹸１０ａにおいても、使用して小さくなり小さいサイズの磨耗石鹸１０ｂにおいても、固定石鹸の凹部溝の嵌込部に接着する方向を変えることにより、磨耗石鹸と固定石鹸がピッタリと接着できるように形成される。
【００３５】
また、開口の形状が、固形石鹸１０の表面に斜め方向に切り込みを入れ、両端が開放された構造になっているため、凹部溝２０に水が溜まることがなく、固形石鹸の外部に流出し、固形石鹸の溝の構造によっては、溝に水が溜まり、吸水し、磨耗石鹸が柔らかくなり使えなくなるという従来技術の欠点を解消した固形石鹸を提供するという当業者が予測不可能な顕著な効果を奏することができる。
【００３６】
固形石鹸１０とサイズが小さくなった磨耗石鹸１０ａと磨耗石鹸１０ｂを接着して両者を一体化した状態を拡大断面図で示している。サイズが小さくなった石鹸１０ａと石鹸１０ｂは、その外周が固形石鹸１０の凹部の嵌込部３０に嵌合した状態となって一体化され、この状態で固形石鹸１０の使用が可能となる。
【００３７】
図４は、嵌込部３０を拡大したもので、角点Ｃ、Ｄ、Ｅの場所を示している。角度∠ＣＤＥが９０°以下であり、さらに好ましくは、角度∠ＣＤＥが、３０°〜６０°が好ましい。
【００３８】
嵌込部３０の角度∠ＣＤＥが９０°の場合に比べ様々なサイズの石鹸を接着し易くし、接着後も使用中に外れ難くできるという当業者が予測不可能な顕著な効果を奏する。
【００３９】
また、上記のようにして形成された固形石鹸において、（結合すべき）他の磨耗固形石鹸を収納しない場合には、他の磨耗石鹸を収容するための斜め方向に切り込んで形成した凹部溝を押しつぶすことで、当該凹部溝への吸水を防止することができた。
【図面の簡単な説明】
【００４０】
【図１】［図１］（ａ）は、本考案係る固形石鹸の平面図である。［図１］（ｂ）は、本考案に係る固形石鹸の右側面図である。
【図２】本考案に係る固形石鹸の正面図である。
【図３】図１のＡ−Ａにおける断面図である
【図４】図１のＡ−Ａにおける断面図の嵌込部の拡大断面図である
【符号の説明】
【００４１】
１０    固形石鹸
１０ａ  磨耗して薄く小さくなった石鹸（サイズの大きな石鹸）
１０ｂ  磨耗して薄く小さくなった石鹸（サイズの小さな石鹸）
２０    凹部溝
３０    嵌込部
【図１】
0003138260.tif 000003
【図２】
0003138260.tif 000004
【図３】
0003138260.tif 000005
【図４】
0003138260.tif 000006